Podtech/llm-jp-corpus-v4-ja_patent huggingface dataset:
【手続補正書】
【提出日】平成30年10月30日(2018.10.30)
【手続補正１】
【補正対象書類名】明細書
【補正対象項目名】０００６
【補正方法】変更
【補正の内容】
【０００６】
上記課題を解決するために、請求項１に記載の発明は、
平板状の清掃具に交換可能に装着される清掃用シートにおいて、
前記清掃具の底面を覆って清掃面を形成し、前記清掃具の長手縁部に沿って折り曲げられて前記清掃具の上面に係止され、
前記長手縁部に沿って折り曲げられた折曲部に沿って、シートが厚み方向に圧縮なされていない非エンボス部が所定間隔ごとに複数配置されるとともに、前記非エンボス部が配された領域を除く全体に亘って、シートが厚み方向に圧縮されたエンボス部が配置され、
前記非エンボス部の各々は、前記清掃具に装着された状態において、前記清掃具の前記長手縁部に対して開口した凹部を有する形状であることを特徴とする。
本発明によれば、シートの強度を維持しつつ、捕集性に優れた清掃用シートを提供することができる。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、請求項２に記載の発明は、請求項１に記載の清掃用シートにおいて、
前記清掃具の前記長手縁部の一方に対応する前記折曲部に沿って配置された前記非エンボス部と、前記清掃具の前記長手縁部の他方に対応する前記折曲部に沿って配置された前記非エンボス部とは、前記折曲部の延在方向において異なる位置に配されていることを特徴とする。
本発明によれば、捕集性をより高めることができる。
【手続補正６】
【補正対象書類名】明細書
【補正対象項目名】００１１
【補正方法】変更
【補正の内容】
【００１１】
また、請求項３に記載の発明は、請求項１又は２に記載の清掃用シートにおいて、
前記エンボス部は、
シートの表面から突出した第１凸部と、
前記第１凸部の頂部からさらに突出した第２凸部と、
を備えることを特徴とする。
本発明によれば、捕集性をより高めることができる。
【手続補正７】
【補正対象書類名】特許請求の範囲
【補正対象項目名】全文
【補正方法】変更
【補正の内容】
【特許請求の範囲】
【請求項１】
平板状の清掃具に交換可能に装着される清掃用シートにおいて、
前記清掃具の底面を覆って清掃面を形成し、前記清掃具の長手縁部に沿って折り曲げられて前記清掃具の上面に係止され、
前記長手縁部に沿って折り曲げられた折曲部に沿って、シートが厚み方向に圧縮なされていない非エンボス部が所定間隔ごとに複数配置されるとともに、前記非エンボス部が配された領域を除く全体に亘って、シートが厚み方向に圧縮されたエンボス部が配置され、
前記非エンボス部の各々は、前記清掃具に装着された状態において、前記清掃具の前記長手縁部に対して開口した凹部を有する形状であることを特徴とする清掃用シート。
【請求項２】
前記清掃具の前記長手縁部の一方に対応する前記折曲部に沿って配置された前記非エンボス部と、前記清掃具の前記長手縁部の他方に対応する前記折曲部に沿って配置された前記非エンボス部とは、前記折曲部の延在方向において異なる位置に配されていることを特徴とする請求項１に記載の清掃用シート。
【請求項３】
前記エンボス部は、
シートの表面から突出した第１凸部と、
前記第１凸部の頂部からさらに突出した第２凸部と、
を備えることを特徴とする請求項１又は２に記載の清掃用シート。
【手続補正書】
【提出日】平成31年2月21日(2019.2.21)
【手続補正１】
【補正対象書類名】明細書
【補正対象項目名】００２５
【補正方法】変更
【補正の内容】
【００２５】
図３に、インジェクター５００の使用時における例示的な経時態様に示す。図３（ａ）および（ｂ）に示すように、使用に際しては、まずインジェクター・キャップ１００を取り外す。次いで、図３（ｃ）に示すように、プランジャーの先端部２２１（特にランセットホルダー２２５）に対してランセット４００を取り付ける。つまり、インジェクター５００に対してランセット４００を装着する。ランセット４００が装着されると、ランセット４００のキャップをもぎって穿刺針４１０を露出させる（図３（ｃ）および図３（ｄ）参照）。次いで、図３（ｅ）に示すようにインジェクター・キャップ１００を元に戻す。つまり、一旦取り外されたインジェクター・キャップ１００をインジェクター・ハウジング２００に再度取り付ける。そして、チャージ部材２３０を後方へと一旦スライドさせる。これにより、チャージ部材２３０と協動するファイヤー・スプリング（図示せず）が圧縮に付されることになり、ランセットの発射に必要な力がプランジャーに蓄えられる。ファイヤー・スプリングとプランジャーとは互いに連結された状態にあるところ、ファイヤー・スプリングの圧縮状態は、プランジャーがインジェクター・ハウジング内で係止されることで維持される。以上を経ることで“穿刺可能状態”のインジェクターが得られることになる。
【手続補正２】
【補正対象書類名】明細書
【補正対象項目名】００２７
【補正方法】変更
【補正の内容】
【００２７】
穿刺後においては、再度、インジェクター・キャップ１００が取り外され、使用済みのランセットがプランジャーから取り外される。このように、発射に供するインジェクターは、使い捨てランセットの穿刺に適したデバイスとなっている。
【手続補正３】
【補正対象書類名】明細書
【補正対象項目名】００３３
【補正方法】変更
【補正の内容】
【００３３】
本発明のインジェクターでは、インジェクター・キャップ側に設けられたリブと、インジェクター・ハウジング側に設けられたプランジャーとが当接可能となっているので、発射直進性が向上する。具体的には、穿刺時のプランジャーの軌道直進性が向上するところ、それに伴い「プランジャーに装着されたランセットの穿刺針の直進性」が向上する。特に、本発明では、被採血者に直接あてがわれるインジェクター・キャップに設けられたリブが作用し、被採血者の穿刺ポイントにより近い位置でプランジャーの穿刺軌道が矯正されるので、直進性向上がより効果的になる。その結果、被穿刺者（すなわち被採血者）が穿刺時に感じる痛みを特に効果的に低減することができる。これは、特定の理論に拘束されるわけではないが、穿刺時の穿刺針のぶれが穿刺ポイントのごく近傍で抑制されるので、被採血者の穿刺箇所が“えぐられる”といった現象がより効果的に減じられることに起因するものと推測される。また、本発明のインジェクターでは、使用者が異なる場合であっても常に一定の針軌道が担保され得る。よって、被穿刺者が異なっても穿刺針の穿刺軌道が実質的に一定となり、使用者ごとのばらつきが低減されるといった効果も奏され得る。
【手続補正４】
【補正対象書類名】明細書
【補正対象項目名】００３４
【補正方法】変更
【補正の内容】
【００３４】
インジェクター・キャップ１００のリブ１５０は、プランジャー２２０の先端部分（即ち、プランジャーのなかでも特に前方部分）に当接可能となっていることが好ましい。穿刺時の痛み低減に資する穿刺針のぶれ防止が特に効果的となるからである。例えば、インジェクターの使用に際してランセット４００はプランジャー２２０のランセットホルダー２２５に装着させるが、そのランセットホルダー２２５が、発射時に、インジェクター・キャップのリブ１５０と当接できるようになっていることが好ましい（図６参照）。特に、ランセット４００が装着されたランセットホルダー２２５の外面２２６と、リブ１５０の頂端１５５とが当接できるようになっていることが好ましい。図６において参照番号２２６’で示すように、ランセットホルダーの外面は、リブとの好適な当接のために、凸形状を有していてもよい（例えば、穿刺方向に沿った隆起部をランセットホルダーの外面が有していてもよい）。
【手続補正書】
【提出日】平成30年10月31日(2018.10.31)
【手続補正１】
【補正対象書類名】明細書
【補正対象項目名】０００６
【補正方法】変更
【補正の内容】
【０００６】
上記課題を解決するために、請求項１に記載の発明は、掃除具において、
清掃用部材を取り付けるためのヘッド部と、前記ヘッド部に接続され、使用者が把持するための柄部と、を有し、
前記ヘッド部は、平面視矩形状に形成され、平面視において対向する２辺に、平面視において前記対向する２辺の端部を除いた一部が突出するように形成された端部突起部が備えられていることを特徴とする。
本発明によれば、部屋の角の付近の清掃を行い易い掃除具を提供することができる。
【手続補正２】
【補正対象書類名】明細書
【補正対象項目名】０００７
【補正方法】変更
【補正の内容】
【０００７】
請求項２に記載の発明は、請求項１に記載の掃除具において、
前記端部突起部は、平面視において前記対向する２辺の中央部が突出するように形成されていることを特徴とする。
本発明によれば、部屋の角の付近の清掃をさらに行い易い掃除具を提供することができる。
請求項３に記載の発明は、請求項１又は２に記載の掃除具において、
前記端部突起部は、平面視において前記対向する２辺の各一点が突出するように形成されていることを特徴とする。
【手続補正３】
【補正対象書類名】明細書
【補正対象項目名】０００８
【補正方法】変更
【補正の内容】
【０００８】
請求項４に記載の発明は、請求項１に記載の掃除具において、
前記端部突起部は、前記対抗する２辺に各々複数備えられていることを特徴とする。
本発明によれば、部屋の角の付近の清掃を行い易い掃除具を提供することができる。
【手続補正４】
【補正対象書類名】明細書
【補正対象項目名】０００９
【補正方法】変更
【補正の内容】
【０００９】
請求項５に記載の発明は、請求項１から４のいずれか一項に記載の掃除具において、
前記端部突起部は、前記ヘッド部の長手方向の両端部に備えられていることを特徴とする。
本発明によれば、ヘッド部を短手方向に動かして用いる際に、部屋の角の付近の清掃を行い易い掃除具を提供することができる。
【手続補正５】
【補正対象書類名】明細書
【補正対象項目名】００１０
【補正方法】変更
【補正の内容】
【００１０】
請求項６に記載の発明は、請求項１から５のいずれか一項に記載の掃除具において、
前記端部突起部は、前記ヘッド部の短手方向の両端部に備えられていることを特徴とする。
本発明によれば、ヘッド部を長手方向に動かして用いる際に、部屋の角の付近の清掃を行い易い掃除具を提供することができる。
【手続補正６】
【補正対象書類名】明細書
【補正対象項目名】００１１
【補正方法】変更
【補正の内容】
【００１１】
請求項７に記載の発明は、請求項１から６のいずれか一項に記載の掃除具において、
前記ヘッド部の下面側には、前記ヘッド部の端部付近において下方に凸となる端部リブが形成され、前記端部突起部は、前記端部リブと接続されていることを特徴とする。
本発明によれば、部屋の角の付近の清掃を行い易く、さらに床面の溝の清掃を行うことができる掃除具を提供することができる。
【手続補正７】
【補正対象書類名】特許請求の範囲
【補正対象項目名】全文
【補正方法】変更
【補正の内容】
【特許請求の範囲】
【請求項１】
清掃用部材を取り付けるためのヘッド部と、前記ヘッド部に接続され、使用者が把持するための柄部と、を有し、
前記ヘッド部は、平面視矩形状に形成され、平面視において対向する２辺に、平面視において前記対向する２辺の端部を除いた一部が突出するように形成された端部突起部が備えられていることを特徴とする掃除具。
【請求項２】
前記端部突起部は、平面視において前記対向する２辺の中央部が突出するように形成されていることを特徴とする請求項１に記載の掃除具。
【請求項３】
前記端部突起部は、平面視において前記対向する２辺の各一点が突出するように形成されていることを特徴とする請求項１又は２に記載の掃除具。
【請求項４】
前記端部突起部は、前記対向する２辺に各々複数備えられていることを特徴とする請求項１に記載の掃除具。
【請求項５】
前記端部突起部は、前記ヘッド部の長手方向の両端部に備えられていることを特徴とする請求項１から４のいずれか一項に記載の掃除具。
【請求項６】
前記端部突起部は、前記ヘッド部の短手方向の両端部に備えられていることを特徴とする請求項１から５のいずれか一項に記載の掃除具。
【請求項７】
前記ヘッド部の下面側には、前記ヘッド部の端部付近において下方に凸となる端部リブが形成され、前記端部突起部は、前記端部リブと接続されていることを特徴とする請求項１から６のいずれか一項に記載の掃除具。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
電気掃除機本体と、当該電気掃除機本体と接続されたホースと、当該ホースと接続された吸引把持部と、を有する電気掃除機であり、
前記吸引把持部の一端には係止部が形成されており、前記ホースの一部にはホース係止具が配置されており、
掃除機本体の後方を床面と対向した状態である床面収納時に、前記係止部を前記ホース係止具に係止した状態で収納可能である、電気掃除機。
【請求項２】
更に、前記吸引把持部には延長管を接続可能であり、
前記延長管には延長管係止部が、前記電気掃除機本体には前記延長管係止部を係止するための被係止部が形成されており、
前記延長管係止部を前記被係止部に係止した状態で、前記吸引把持部の前記係止部を前記ホース係止具に係止し、前記電気掃除機本体と前記延長管と前記吸引把持部及び前記ホースを床面に対して立てた状態で収納可能である請求項１に記載の電気掃除機。
【請求項３】
前記ホース係止具は、一端に掛止フックが形成され、他端に前記掛止フックを掛止するための掛止孔が形成され、弾性を有する合成樹脂製で形成され、前記ホースに着脱自在である、請求項１または２に記載の電気掃除機。
【手続補正２】
【補正対象書類名】明細書
【補正対象項目名】０００８
【補正方法】変更
【補正の内容】
【０００８】
上記従来の課題を解決するために、本発明の電気掃除機は、電気掃除機本体と、当該電気掃除機本体と接続されたホースと、当該ホースと接続された吸引把持部と、を有する電気掃除機であり、前記吸引把持部の一端には係止部が形成されており、前記ホースの一部にはホース係止具が配置されており、掃除機本体の後方を床面と対向した状態である床面収納時に、前記係止部を前記ホース係止具に係止した状態で収納可能であり、使用者は、腰を屈めることなく楽に電気掃除機を収納でき、またホースの撓みを抑えることで幅狭くスリムな収納形態を実現することができる。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
ホースに着脱可能なホース掛止具であり、
一端に掛止孔を、他端に前記掛止孔に掛止される掛止フックを有し、弾性を有する合成樹脂からなる、ホース掛止具。
【請求項２】
前記ホース掛止具をホースに取り付けた際に、ホースの外周面と対向する前記ホース掛止具の内周面が曲面と隆起形状を有する、請求項１に記載のホース掛止具。
【請求項３】
断面が略円状である曲面帯体と、前記ホース掛止具をホースに取り付けた際にホースの外周面と対向する部分に平面を有する平面帯体と、を有し、
前記平面帯体は前記曲面帯体に比べて幅広であり、前記平面帯体の外周面にはホース掛止具をホースに装着した状態においてホースの軸方向に突出したフック部が形成されている、請求項１または２に記載のホース掛止具。
【請求項４】
前記曲面帯体は、内周面にホースの外周面に接触する複数の当てリブを有し、前記平面帯体は、内周面に前記ホースの外周面に接触する複数の凸リブを有している、請求項３に記載のホース掛止具。
【請求項５】
前記凸リブは前記当てリブに比べ突出している、請求項４に記載のホース掛止具。
【請求項６】
前記曲面帯体と前記平面帯体を接続する接続部は、断面二次モーメントが略一定となるよう形状を滑らかに繋げて形成されている、請求項３〜５のいずれか１項に記載のホース掛止具。
【請求項７】
前記ホース掛止具をホースに取り付けた状態で、前記凸リブのうち少なくとも一つが、ホースの外周面における鋼線間に入り込むことが可能である、請求項４〜６のいずれか１項に記載のホース掛止具。
【手続補正２】
【補正対象書類名】明細書
【補正対象項目名】発明の名称
【補正方法】変更
【補正の内容】
【発明の名称】ホース掛止具
【手続補正３】
【補正対象書類名】明細書
【補正対象項目名】０００１
【補正方法】変更
【補正の内容】
【０００１】
本発明は、ホース掛止具に関するものである。
【手続補正４】
【補正対象書類名】明細書
【補正対象項目名】０００８
【補正方法】変更
【補正の内容】
【０００８】
本発明は、ホースに着脱可能なホース掛止具であり、一端に掛止孔を、他端に前記掛止孔に掛止される掛止フックを有し、弾性を有する合成樹脂からなるホース掛止具である。
【手続補正書】
【提出日】平成31年4月22日(2019.4.22)
【手続補正１】
【補正対象書類名】明細書
【補正対象項目名】０００６
【補正方法】変更
【補正の内容】
【０００６】
上記目的を達成するために、以下に示すような、遊技機が提供される。遊技機は、変動表示ゲームの実行権利として始動記憶を記憶し、該始動記憶に対応する変動表示ゲームの結果に関連して始動記憶の保留表示態様を変更して保留予告演出を実行可能であって、制御手段、を備える。制御手段は、所定の演出実行契機に基づき、保留予告演出を実行し、保留表示態様を変更する。
【手続補正２】
【補正対象書類名】特許請求の範囲
【補正対象項目名】全文
【補正方法】変更
【補正の内容】
【特許請求の範囲】
【請求項１】
変動表示ゲームの実行権利として始動記憶を記憶し、該始動記憶に対応する変動表示ゲームの結果に関連して前記始動記憶の保留表示態様を変更して保留予告演出を実行可能な遊技機であって、
所定の演出実行契機に基づき、前記保留予告演出を実行し、前記保留表示態様を変更する制御手段を備えたことを特徴とする遊技機。
【請求項２】
前記制御手段は、
当該遊技機における所定状態を検出可能な検出手段を備え、当該検出手段による所定状態の検出を前記演出実行契機として前記保留表示態様を変更可能にしたことを特徴とする、請求項１に記載の遊技機。
【手続補正書】
【提出日】令和1年5月15日(2019.5.15)
【手続補正１】
【補正対象書類名】明細書
【補正対象項目名】０００６
【補正方法】変更
【補正の内容】
【０００６】
上記目的を達成するために、以下に示すような、遊技機が提供される。遊技機は、変動
表示ゲームの実行権利として始動記憶を記憶し、該始動記憶に対応する変動表示ゲームの
結果に関連して始動記憶の保留表示態様を変更して保留予告演出を実行可能であって、制
御手段を含む。制御手段は、保留予告手段の実行を留保する留保期間と、留保を解除可能
な解除期間と、を遊技状態に応じて異ならせる。
【手続補正２】
【補正対象書類名】特許請求の範囲
【補正対象項目名】全文
【補正方法】変更
【補正の内容】
【特許請求の範囲】
【請求項１】
変動表示ゲームの実行権利として始動記憶を記憶し、該始動記憶に対応する変動表示ゲームの結果に関連して前記始動記憶の保留表示態様を変更して保留予告演出を実行可能な遊技機であって、
前記保留予告演出の実行を留保する留保期間と、前記留保を解除可能な解除期間と、を
遊技状態に応じて異ならせる制御手段と、
を含む遊技機。
【手続補正書】
【提出日】令和1年5月31日(2019.5.31)
【手続補正１】
【補正対象書類名】明細書
【補正対象項目名】０００４
【補正方法】変更
【補正の内容】
【０００４】
しかしながら、保留予告演出は、始動入賞口への入賞契機や、変動開始時の保留シフト
契機におこなわれ、遊技者の関心を維持することが容易でない。
【手続補正２】
【補正対象書類名】明細書
【補正対象項目名】０００６
【補正方法】変更
【補正の内容】
【０００６】
上記目的を達成するために、以下に示すような、遊技機が提供される。遊技機は、始動入賞領域への遊技球の入賞に基づき、複数の識別情報を変動表示する変動表示ゲームを表示する表示装置を備え、当該変動表示ゲームの停止結果態様が予め定めた特別結果態様となった場合に、遊技者にとって有利な特別遊技状態を発生させる。始動入賞領域への遊技球の入賞に基づき前記変動表示ゲームの実行権利を始動記憶として所定の上限数まで記憶する始動記憶手段と、前記始動記憶に対応する変動表示ゲームの結果に関する情報を、前記対応する変動表示ゲームの実行前に判定する事前判定手段と、前記始動記憶手段に記憶されている始動記憶および実行中の変動表示ゲームに対応する始動記憶表示を前記表示装置に表示させると共に、前記事前判定手段の判定結果に基づいて特定画像を前記表示装置に表示させる制御手段と、を備える。
【手続補正３】
【補正対象書類名】特許請求の範囲
【補正対象項目名】全文
【補正方法】変更
【補正の内容】
【特許請求の範囲】
【請求項１】
始動入賞領域への遊技球の入賞に基づき、複数の識別情報を変動表示する変動表示ゲー
ムを表示する表示装置を備え、当該変動表示ゲームの停止結果態様が予め定めた特別結果
態様となった場合に、遊技者にとって有利な特別遊技状態を発生させる遊技機において、
前記始動入賞領域への遊技球の入賞に基づき前記変動表示ゲームの実行権利を始動記憶
として所定の上限数まで記憶する始動記憶手段と、
前記始動記憶に対応する変動表示ゲームの結果に関する情報を、前記対応する変動表示
ゲームの実行前に判定する事前判定手段と、
前記始動記憶手段に記憶されている始動記憶および実行中の変動表示ゲームに対応する
始動記憶表示を前記表示装置に表示させると共に、前記事前判定手段の判定結果に基づい
て特定画像を前記表示装置に表示させる制御手段と、を備え、
前記制御手段は、
前記特定画像が表示された際に、前記事前判定手段の判定結果に応じて、前記表示装置
における前記始動記憶表示に対応する演出表示を前記表示装置に表示させ、
前記事前判定手段の判定結果として対応する前記始動記憶表示の表示態様を変化可能に
したことを特徴とする遊技機。
【手続補正書】
【提出日】令和1年6月14日(2019.6.14)
【手続補正１】
【補正対象書類名】明細書
【補正対象項目名】０００２
【補正方法】変更
【補正の内容】
【０００２】
変動表示ゲームにおいて遊技者に期待感を感得させる演出がある。
【手続補正２】
【補正対象書類名】明細書
【補正対象項目名】０００４
【補正方法】変更
【補正の内容】
【０００４】
しかしながら、初心者にとってゲーム性が理解容易でない場合がある。
１つの側面では、本発明は、遊技者にとって理解容易な表示演出をおこなうことができ
る遊技機を提供することを目的とする。
【手続補正３】
【補正対象書類名】明細書
【補正対象項目名】０００５
【補正方法】変更
【補正の内容】
【０００５】
上記目的を達成するために、以下に示すような、所定の図柄配列に含まれる図柄を変動
表示させ、有効ラインにより規定される図柄組み合わせの導出に関連して変動表示ゲーム
の結果態様を導出する遊技機が提供される。遊技機は、表示手段と、制御手段と、を含む
。表示手段は、変動表示ゲームを表示可能である。制御手段は、有効ラインを設定して図
柄を変動表示させ、有効ラインに図柄を一時的に停止表示させると共に所定演出をおこな
った後、図柄を再変動表示させる。
【手続補正４】
【補正対象書類名】特許請求の範囲
【補正対象項目名】全文
【補正方法】変更
【補正の内容】
【特許請求の範囲】
【請求項１】
所定の図柄配列に含まれる図柄を変動表示させ、有効ラインにより規定される図柄組み
合わせの導出に関連して変動表示ゲームの結果態様を導出する遊技機であって、
前記変動表示ゲームを表示可能な表示手段と、
前記有効ラインを設定して前記図柄を変動表示させ、当該有効ラインに前記図柄を一時
的に停止表示させると共に所定演出をおこなった後、前記図柄を再変動表示させる制御手
段と、
を含む遊技機。
【手続補正書】
【提出日】令和1年7月30日(2019.7.30)
【手続補正１】
【補正対象書類名】明細書
【補正対象項目名】００４０
【補正方法】変更
【補正の内容】
【００４０】
主記憶装置１２１は、質問格納部１２１ａ、質問出力部１２１ｂ及びアンケート収集処理部１２１ｃを備える。外部記憶装置１２２は、回答記憶部１２２ａを備える。
質問格納部１２１ａには、事前に作成したアンケートに関する質問項目が格納される。この質問項目は、後述する図６の質問テーブルＦ１に相当するものである。
質問出力部１２１ｂは、質問格納部１２１ａに予め格納されたアンケートに関する質問項目をロボット制御装置１１０に供給する。
ロボット制御装置１１０は、ロボット監視センタ１２０から得た質問項目をロボット１００に送り、ロボット１００のスピーカ１０２ｅから音声によりアンケート回答者に向けて発話させる。
【手続補正２】
【補正対象書類名】明細書
【補正対象項目名】００４４
【補正方法】変更
【補正の内容】
【００４４】
図７は、収集したアンケートの回答が記憶される回答内容テーブルＦ２の例であり、ロボット監視センタ１２０の外部記憶装置１２２の回答記憶部１２２ａに記憶されるものである。
図７に示すように、回答内容テーブルＦ２は、回答者フィールドＦ２ａと、回答日時フィールドＦ２ｂと、回答１〜回答Ｎまでの複数の回答を登録するための回答フィールドＦ２ｃを備える。回答者フィールドＦ２ａは、アンケートに回答した対象者の番号が登録される。回答者名や回答者の属性などは登録されない。アンケート回答者の数ｋは、任意に決めることができるものであるが、例えば数日続くあるイベントの参加者へのアンケートでは、アンケート回答者の最大値を３０００人に設定することも可能である。その場合には、ｋは３０００以下の数ということになる。
【手続補正３】
【補正対象書類名】明細書
【補正対象項目名】００４５
【補正方法】変更
【補正の内容】
【００４５】
回答日時フィールドＦ２ｂには、アンケートを行った日時が分単位で登録される。例えば、「201X.04.01 10:15」は、201X年４月１日10時15分にアンケートの回答を得たという事実を示している。回答フィールドＦ２ｃには、図６の質問番号フィールドＦ１ａの質問１〜質問Ｎに対する回答１〜回答Ｎが記憶される。
例えば、質問１の「この店舗（施設）にどれくらいの頻度で来店しますか？」という質問に対しては、回答者１の回答１は「月１回」であり、回答者ｋの回答１は「月２回」となっている。また、質問Ｎの「店舗（施設）について、総合的にどれくらい満足していますか？」という質問に対しては、回答者１は回答Ｎで「まあまあ満足している」と回答し、回答者ｋは回答Ｎで「大変満足している」と回答している。ここで、全ての回答者１〜ｋが質問１から質問Ｎの全てに回答する訳ではないので、回答１から回答Ｎの中には未回答な空欄が含まれる場合もある。
【手続補正４】
【補正対象書類名】明細書
【補正対象項目名】００５０
【補正方法】変更
【補正の内容】
【００５０】
［立ち止まり検出処理に関するフローチャートの説明］
図１０は、ロボット１００の立ち止まり検出処理を示すフローチャートである。まず、ロボット１００の入出力装置１０２のカメラ１０２ａからの映像を画像処理することで、ロボット制御装置１１０のエリア情報登録部１１１ｅに登録されたエリア内で、立ち止まっている人物を検出する（ステップＳ１０）。
次に、ロボット１００は、駆動機構１０２ｆによりアンケート対象者の位置４０１の近くまで移動する（ステップＳ１１）。このロボット１００の移動は、ロボット１００の現在位置からアンケート対象者の位置までの移動を意味するが、ロボット１００は、図９の待機場所４０３から移動ルート４０２を通ってアンケート対象者のいる位置４０１へ移動することもある。
【手続補正５】
【補正対象書類名】明細書
【補正対象項目名】００６０
【補正方法】変更
【補正の内容】
【００６０】
ステップＳ３２で認識されたアンケート対象者の回答者情報が回答者情報記憶部１１２ａに格納されていないと判定された場合（ステップＳ３３のＮＯ）には、ロボット制御装置１１０は、立ち止まり検出部１１１ｆによりアンケート対象者が立ち止まっていることを検出する（ステップＳ３４）。
そして、ロボット制御装置１１０は、ロボット１００をアンケート対象者へ接近させ、ロボット１００は、アンケート対象者に対して対話によりアンケートを実施する（ステップＳ３５）。
【手続補正６】
【補正対象書類名】明細書
【補正対象項目名】００６６
【補正方法】変更
【補正の内容】
【００６６】
１００…ロボット、
１０１…主記憶装置、１０１ａ…駆動制御部、１０１ｂ…対話制御部、１０１ｃ…入出力部、１０２…入出力装置、１０２ａ…カメラ、１０２ｂ…マイク、１０２ｃ…ジャイロセンサ、１０２ｄ…測域センサ、１０２ｅ…スピーカ、１０２ｆ…駆動機構、１０３…通信インターフェース、１０４…ＣＰＵ
１１０…ロボット制御装置、
１１１…主記憶装置、１１１ａ…入力データ処理部、１１１ｂ…アンケート実施処理部、１１１ｃ…出力データ処理部、１１１ｄ…移動指示部、１１１ｅ…エリア情報登録部、１１１ｆ…立ち止まり検出部、１１１ｇ…回答者情報認識部、１１１ｈ…重複判定処理部、１１２…外部記憶装置、１１２ａ…回答者情報記憶部、１１３…通信インターフェース、１１４…ＣＰＵ
１２０…ロボット監視センタ、
１２１…主記憶装置、１２１ａ…質問格納部、１２１ｂ…質問出力部、１２１ｃ…アンケート収集処理部、１２２…外部記憶装置、１２２ａ…回答記憶部、１２３・・・通信インターフェース、１２４…ＣＰＵ
１３０・・・ロボット管理システム
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
基材層と、
前記基材層に積層される弾性体層と、
を少なくとも備え、
前記弾性体層は、導電性材料を含む
ことを特徴とする表皮材。
【請求項２】
前記弾性体層は、導電性粒子を含む発泡ウレタンからなる
ことを特徴とする請求項１に記載の表皮材。
【請求項３】
前記弾性体層に塗装されるコート層を備える
ことを特徴とする請求項１又は２に記載の表皮材。
【請求項４】
前記コート層は、導電性材料を含む
ことを特徴とする請求項３に記載の表皮材。
【請求項５】
環状のリム部と、
前記リム部を覆う請求項１乃至３のいずれか１つに記載の表皮材と、
前記表皮材の前記弾性体層を検出電極として静電容量を検出する検出部と、
を備える
ことを特徴とするステアリングホイール。
【手続補正書】
【提出日】平成31年3月20日(2019.3.20)
【手続補正１】
【補正対象書類名】明細書
【補正対象項目名】００７９
【補正方法】変更
【補正の内容】
【００７９】
ステップＳ２９において、制御装置４０は、位相（第３の位相）６ｋに到達するまでモータ３７ａを回転させる。位相６ｋにおいて、変位角φ＝２７０度、高さＨ＝Ｈ０である。ステップＳ２９終了時には、工具１Ｂは工具ポットに装着され、工具１Ｃは主軸穴１５ａに挿入される。
【手続補正書】
【提出日】令和1年6月24日(2019.6.24)
【手続補正１】
【補正対象書類名】特許請求の範囲
【補正対象項目名】請求項３
【補正方法】変更
【補正の内容】
【請求項３】
前記工具刃先が前記計測位置に位置するときの刃物台のあるべき位置が、前回の計測に基づいて修正された補正値で補正した刃物台の位置である、請求項１又は２記載の工作機械のワーク加工方法。
【手続補正２】
【補正対象書類名】特許請求の範囲
【補正対象項目名】請求項４
【補正方法】変更
【補正の内容】
【請求項４】
刃物台の送りモータの負荷変動をサーボモータである刃物台送りモータに与える位置指令と位置のフィードバック信号との差信号である位置偏差により検出するものにおいて、工具の計測点に接近させる方向を上方から下方又は水平方向とした、請求項１、２又は３記載の工作機械のワーク加工方法。
【手続補正書】
【提出日】令和1年7月24日(2019.7.24)
【手続補正１】
【補正対象書類名】明細書
【補正対象項目名】００４０
【補正方法】変更
【補正の内容】
【００４０】
図１に示す実施形態では、フロントドア（前部ドア）のドアトリム１に照明装置３を設ける構成を示しているが、図９に示すように、リアドア（後部ドア）のドアトリム１Ａに照明装置３を設けてもよい。例えば、図１０は図９のドアトリム１ＡをＢ−Ｂ線に沿って切断した断面を部分的に示す断面図であり、照明装置３の拡散部材６の出光面６１ｄが第１加飾部材２１と第２加飾部材２２の間に配置されている。図１０では、第２加飾部材２２の樹脂基体２２ａには、図２の立壁部２２ａａは示されていないが、例えば、図２に示した構造と同様に、延在方向の所定位置で、拡散部材６に係止片を設け、樹脂基体２２ａに立壁部を設けて、第１加飾部材２１の締結部を挿通し、ドアトリムの基体１Ａａに対して固定する構成として拡散部材６と第２加飾部材２２をドアトリムの基体１Ａａに取り付けてもよい。図９では、図１と同様、照明装置３の拡散部材６の出光面６１ｄは、上下の第１加飾部材と第２加飾部材に挟まれているが、図８Ａ〜Ｆについて説明したものと同様に、ドアトリムのデザインに応じ、各種の変形例を採用することが可能である。なお、図１、図８Ａ〜Ｆ、図９に示すドアトリムは、右側ドアであるが、左側ドアに同様の照明装置を設けてもよい。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
車両用シートは、
シートの座部の骨格をなすシートクッションフレームと、
背もたれ部の骨格をなすシートバックフレームと、
前記シートクッションフレームまたは前記シートバックフレームに係止される第一Ｓ字状バネと、
を備え、
前記第一Ｓ字状バネは中央側の屈曲ピッチが両端側の屈曲ピッチよりも大きく、中央側の高さは両端側の高さよりも低い。
【請求項２】
請求項１の車両用シートにおいて、
前記シートバックフレームは、
上下方向に伸びる第一部分と、
上下方向に伸びる第二部分と、
左右方向に伸びる第三部分と、
左右方向に伸びる第四部分と、
前記第一部分に設けられる第一組付け部と、
前記第二部分に設けられる第二組付け部と、
を備え、
前記第一Ｓ字状バネの一端は前記第一組付け部に係止され、前記第一Ｓ字状バネの他端は前記第二組付け部に係止されるよう構成される。
【請求項３】
請求項２の車両用シートにおいて、
前記シートバックフレームは、さらに、
前記第一部分に設けられる第三組付け部と、
前記第二部分に設けられる第四組付け部と、
前記第三組付け部と前記第四組付け部にと係止される第二Ｓ字状バネと、
を備え、
前記第二Ｓ字状バネは中央側の屈曲ピッチが両端側の屈曲ピッチよりも大きく、中央側の高さは両端側の高さよりも低い。
【請求項４】
請求項２の車両用シートにおいて、
前記シートバックフレームは、さらに、
前記第一部分に設けられる第三組付け部と、
前記第二部分に設けられる第四組付け部と、
前記第三組付け部と前記第四組付け部にと係止されるＳバネと、
を備え、
前記Ｓバネの中央側の高さは前記第一Ｓ字状バネの中央側の高さよりも高い。
【請求項５】
請求項１の車両用シートにおいて、
前記シートクッションフレームは、
前部または右部に設けられる第五組付け部と、
後部または左部に設けられる第六組付け部と、
を備え、
前記第一Ｓ字状バネの一端は前記第五組付け部に係止され、前記第一Ｓ字状バネの他端は前記第六組付け部に係止されるよう構成される。
【請求項６】
請求項２の車両用シートにおいて、
前記第一部分および前記第二部分はパイプで構成され、
前記第一組付け部は前記第一部分の前記第二部分と対向する側に配設される部材であり、
前記第二組付け部は前記第二部分の前記第一部分と対向する側に配設される部材である。
【請求項７】
請求項２の車両用シートにおいて、
前記第一部分および前記第二部分はブラケットで構成され、
前記第一組付け部は前記第一部分に設けられる孔であり、
前記第二組付け部は前記第二部分に設けられる孔である。
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
柿果実ペクチンを含有する、加齢低栄養の予防用及び／又は改善用の組成物。
【請求項２】
柿果実ペクチンの分子量が５，０００〜５５，０００である、請求項１に記載の組成物。
【請求項３】
体重低下抑制用である、請求項１又は２に記載の組成物。
【請求項４】
血中カルシウム濃度改善用である、請求項１から３のいずれか１項に記載の組成物。
【請求項５】
血中リコピン濃度改善用である、請求項１から４のいずれか１項に記載の組成物。
【手続補正２】
【補正対象書類名】明細書
【補正対象項目名】０００２
【補正方法】変更
【補正の内容】
【０００２】
我が国において、６５歳以上の高齢者の総人口に占める割合（高齢化率）は平成２６年度１０月の時点で２６。０ ％（前年２５．１％）と過去最高となった（非特許文献１）。この状況下において、日常生活に制限のない期間（健康寿命）は、減少傾向に有り、寝たきりの高齢者の絶対数の増加が社会問題となっている。疾病予防と健康増進、介護予防などによって、平均寿命と健康寿命の差を短縮することは、個人の生活の質を向上させると共に、社会保障負担の軽減も期待でき、健康長寿の実現は重要な国家戦略の一つである。
【手続補正３】
【補正対象書類名】明細書
【補正対象項目名】００２２
【補正方法】変更
【補正の内容】
【００２２】
柿果実に対する水の重量比率は１：１〜１：２０の範囲内で任意に設定することができるが、特に１：５〜１：１０の重量比率が、ペクチンの抽出効率、後の乾燥処理の作業性において好ましい。
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
開口を有する容器本体と、
前記容器本体に取付けられ、前記開口を開閉可能である蓋と、
前記容器本体の内部に収容される計量部と、を有する棒状乾麺の保存容器であって、
前記容器本体は、前記開口から受け入れた棒状乾麺を収容する収容部を有し、
前記計量部は、底部と、該底部の両側に配置される第１及び第２の側部を有し、
前記計量部の底部は前記収容部の底部より高く、
前記第１の側部は前記収容部と前記計量部とを仕切り、
前記第２の側部は前記第１の側部より高く、
前記第１の側部と前記第２の側部の高さの差によって形成される第１の側部と蓋または容器本体の内面との隙間を介して、前記棒状乾麺が前記収容部と前記計量部との間を流通する、棒状乾麺の保存容器。
【請求項２】
前記計量部はその長手方向において複数の部分に分かれている、請求項１に記載の保存容器。
【請求項３】
前記容器本体は、前記計量部が分かれている部分に近接する箇所において、外側へ膨出する部分を有する、請求項２に記載の保存容器。
【請求項４】
前記第１の側部の上端の高さと前記底部の高さの差が可変である、請求項１〜３のいずれか一項に記載の保存容器。
【請求項５】
前記第１の側部は上端部分が上下方向に動くことで上端の高さが可変である、請求項１〜４のいずれか一項に記載の保存容器。
【請求項６】
前記計量部は、前記容器本体に対して着脱可能な態様で取り付けられる、請求項１〜５のいずれか一項に記載の保存容器。
【請求項７】
前記容器本体はその長手方向の端部に前記開口を有する、請求項１〜６のいずれか一項に記載の保存容器。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
抗Ａｌｌｅｒｇｉｎ−１抗体またはＡｌｌｅｒｇｉｎ−１のアンチセンスＲＮＡ若しくはｓｉＲＮＡとともに投与されることを特徴とする、抗ＰＤ−１抗体を有効成分とするがんの進行抑制、再発抑制および／または治療剤。
【請求項２】
抗Ａｌｌｅｒｇｉｎ−１抗体が、モノクローナル抗体である請求項１記載の剤。
【請求項３】
抗Ａｌｌｅｒｇｉｎ−１モノクローナル抗体が、ＩｇＧ１またはＩｇＧ４アイソタイプである請求項２記載の剤。
【請求項４】
抗Ａｌｌｅｒｇｉｎ−１モノクローナル抗体が、Ｆａｂ、Ｆａｂ′、Ｆｖ、ｓｃＦｖおよび（Ｆａｂ′）２断片からなる群から選択される抗体断片である請求項２または３記載の剤。
【請求項５】
抗Ａｌｌｅｒｇｉｎ−１モノクローナル抗体が、ヒト化またはヒト抗体である請求項２〜４のいずれか一項記載の剤。
【請求項６】
抗Ａｌｌｅｒｇｉｎ−１抗体が、抗ヒトＡｌｌｅｒｇｉｎ−１抗体である請求項１〜５のいずれか一項記載の剤。
【請求項７】
抗ＰＤ−１抗体が、Ｎｉｖｏｌｕｍａｂ、ＲＥＧＮ−２８１０、Ｐｅｍｂｒｏｌｉｚｕｍａｂ、ＰＤＲ−００１、ＢＧＢ−Ａ３１７、ＳＴＩ−Ａ１１１０またはＡＭＰ−５１４である請求項１〜６のいずれか一項記載の剤。
【請求項８】
がんが、固形がんまたは血液がんである請求項１〜７のいずれか一項記載の剤。
【請求項９】
固形がんが、悪性黒色腫、非小細胞肺癌、小細胞肺癌、頭頸部癌、腎細胞癌、淡明細胞型腎細胞癌、乳癌、卵巣癌、卵巣明細胞腺癌、骨・軟部肉腫、神経膠芽腫、神経膠肉腫、鼻咽頭癌、子宮癌、肛門癌、大腸癌、肝細胞癌、食道癌、膵癌、胃癌、尿路上皮癌、前立腺癌、卵管癌、原発性腹膜癌、胸膜中皮腫および骨髄増殖症候群から選択される一以上のがんである請求項８記載の剤。
【請求項１０】
血液がんが、多発性骨髄腫、非ホジキンリンパ腫、ホジキンリンパ腫、急性骨髄性白血病および慢性骨髄性白血病から選択される一以上の血液がんである請求項８記載の剤。
【請求項１１】
抗がん剤による治療効果が十分でないがん患者に投与することを特徴とする請求項１〜１０のいずれか一項記載の剤。
【請求項１２】
抗がん剤が、アルキル化薬、白金製剤、代謝拮抗剤、トポイソメラーゼ阻害薬、微小管重合阻害薬、微小管脱重合阻害薬、抗腫瘍性抗生物質、サイトカイン製剤、抗ホルモン薬、分子標的薬または腫瘍免疫治療薬である請求項１１記載の剤。
【請求項１３】
腫瘍免疫治療薬が、抗ＰＤ−１抗体または抗ＰＤ−Ｌ１抗体である請求項１２記載の剤。
【請求項１４】
抗Ａｌｌｅｒｇｉｎ−１抗体とともに投与されることを特徴とする、抗ＰＤ−１抗体を有効成分とするがんの進行抑制、再発抑制および／または治療剤。
【手続補正２】
【補正対象書類名】図面
【補正対象項目名】図４
【補正方法】変更
【補正の内容】
【図４】
2018016619.tif 000001
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
（Ａ）ポリ塩化ビニル系樹脂  １００質量部；
（Ｃ）平均粒子径０．５〜１０μｍの樹脂微粒子 ５〜５０質量部；及び、
（Ｄ）酸化チタン  ０．１〜２質量部； 
を含む樹脂組成物。
【請求項２】
（Ａ）ポリ塩化ビニル系樹脂 ６０〜９９質量％、及び
（Ｂ）コアシェルゴム ４０〜１質量％からなる樹脂混合物 １００質量部；
（Ｃ）平均粒子径０．５〜１０μｍの樹脂微粒子 ５〜５０質量部；及び、
（Ｄ）酸化チタン  ０．１〜２質量部； 
を含み、
ここで上記成分（Ａ）と上記成分（Ｂ）の和が１００質量％である
樹脂組成物。
【請求項３】
上記成分（Ｄ）酸化チタンの平均粒子径が０．１〜２μｍである請求項１又は２に記載の樹脂組成物。
【請求項４】
更に（Ｅ）過ハロゲン酸金属塩 ０．０１〜１質量部を含む請求項１〜３の何れか１項に記載の樹脂組成物。
【請求項５】
更に（Ｆ）可塑剤 ５〜６０質量部を含む請求項１〜４の何れか１項に記載の樹脂組成物。
【請求項６】
光拡散性フィルム用である請求項１〜５の何れか１項に記載の樹脂組成物。
【請求項７】
請求項１〜５の何れか１項に記載の樹脂組成物を含む物品。
【請求項８】
請求項１〜６の何れか１項に記載の樹脂組成物からなる光拡散性フィルム。
【請求項９】
請求項８に記載の光拡散性フィルムを含む物品。
【請求項１０】
光拡散性フィルムを生産する方法であって、請求項１〜６の何れか１項に記載の樹脂組成物を用い、
カレンダーロール圧延製膜装置を使用して製膜する工程を含む方法。
【手続補正書】
【提出日】平成31年2月20日(2019.2.20)
【手続補正１】
【補正対象書類名】明細書
【補正対象項目名】００１８
【補正方法】変更
【補正の内容】
【００１８】
成分化合物の化学式において、末端基Ｒ１の記号を複数の化合物に用いた。これらの化合物において、任意の２つのＲ１が表す２つの基は同一であってもよく、または異なってもよい。例えば、化合物（２−１）のＲ１がエチルであり、化合物（２−２）のＲ１がエチルであるケースがある。化合物（２−１）のＲ１がエチルであり、化合物（２−２）のＲ１がプロピルであるケースもある。このルールは、他の末端基などの記号にも適用される。式（２）において、ｄが２のとき、２つの環Ｄが存在する。この化合物において、２つの環Ｄが表す２つの環は、同一であってもよく、または異なってもよい。このルールは、ｄが２より大きいとき、任意の２つの環Ｄにも適用される。このルールは、Ｚ１、環Ｆなどの記号にも適用される。このルールは、化合物（１−４）における２つの−Ｓｐ２−Ｐ５のような場合にも適用される。
【手続補正２】
【補正対象書類名】明細書
【補正対象項目名】００１９
【補正方法】変更
【補正の内容】
【００１９】
六角形で囲んだＡ、Ｂ、Ｃ、Ｄなどの記号はそれぞれ環Ａ、環Ｂ、環Ｃ、環Ｄなどの環に対応し、六員環、縮合環などの環を表す。この六角形の一辺を横切る斜線は、環上の任意の水素が−Ｓｐ１−Ｐ１などの基で置き換えられてもよいことを表す。‘ａ’などの添え字は、置き換えられた基の数を示す。添え字‘ａ’が０（ゼロ）のとき、そのような置き換えはない。添え字‘ａ’が２以上のとき、環Ａ上には複数の−Ｓｐ１−Ｐ１が存在する。−Ｓｐ１−Ｐ１が表す複数の基は、同一であってもよく、または異なってもよい。「環Ａおよび環Ｃは独立して、Ｘ、Ｙ、またはＺである」の表現では、主語が複数であるから、「独立して」を用いる。主語が「環Ａ」であるときは、主語が単数であるから「独立して」を用いない。
【手続補正３】
【補正対象書類名】明細書
【補正対象項目名】００６７
【補正方法】変更
【補正の内容】
【００６７】
式（２）において、ｄは、１、２、または３であり、ｅは、０または１であり、そしてｄとｅとの和は３以下である。好ましいｄは、粘度を下げるために１であり、上限温度を上げるために２または３である。好ましいｅは、粘度を下げるために０であり、下限温度を下げるために１である。式（３）において、ｆは、１、２、または３である。好ましいｆは、粘度を下げるために１であり、上限温度を上げるために２または３である。
【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
記録ヘッドを搭載し第１方向に移動するキャリッジと、
前記第１方向に延びる第１ガイドレール及び第２ガイドレールと、
前記第１方向と交差する第２方向に記録媒体を搬送する搬送手段と、
前記第２方向において前記第１ガイドレールと前記第２ガイドレールの間に配され、前記記録ヘッドにより記録される記録媒体を支持するプラテンと、
前記第１ガイドレールと接触して前記キャリッジと一体となって移動し、前記キャリッジを前記第１方向にガイドする第１ガイド部材と、
前記第２ガイドレールと接触して前記キャリッジと一体となって移動し、前記キャリッジを前記第１方向にガイドする第２ガイド部材と、
前記第２ガイド部材と前記キャリッジとの間に配され、前記第２ガイド部材と前記キャリッジとの間の距離を変化させる傾き調整部材と、を備え、
前記傾き調整部材によって前記距離が変化することで、前記プラテンに対する前記記録ヘッドの角度が調整されることを特徴とする記録装置。
【請求項２】
前記キャリッジと前記第１ガイド部材との間に配され、前記キャリッジと前記プラテンの間隔を切り替える第１間隔切替部材と、
前記第２ガイド部材と前記傾き調整部材の間に配され、前記キャリッジと前記プラテンの間隔を切り替える第２間隔切替部材と、を備えることを特徴とする請求項１に記載の記録装置。
【請求項３】
前記第２ガイドレールは、前記第２方向において前記第１ガイドレールより下流に配されることを特徴とする請求項１または２に記載の記録装置。
【請求項４】
前記傾き調整部材による前記距離の変化によって、前記キャリッジが前記第１ガイドレールを中心軸として回転することを特徴とする請求項１乃至３のいずれか１項に記載の記録装置。
【請求項５】
記録ヘッドを搭載し第１方向に移動するキャリッジと、
前記第１方向に延びる第１ガイドレール及び第２ガイドレールと、
前記第１方向と交差する第２方向に記録媒体を搬送する搬送手段と、
前記記録ヘッドにより記録される記録媒体を支持するプラテンと、
前記第１ガイドレールと接触して前記キャリッジと一体となって移動し、前記キャリッジを前記第１方向にガイドする第１ガイド部材と、
前記第２ガイドレールと接触して前記キャリッジと一体となって移動し、前記キャリッジを前記第１方向にガイドする第２ガイド部材と、
前記キャリッジと前記プラテンの間隔を切り替える間隔切替部材と、
前記キャリッジと前記間隔切替部材との間に配され、前記キャリッジと前記間隔切替部材の間の距離を変化させる傾き調整部材と、を備え、
前記傾き調整部材によって前記距離が変化することで、前記プラテンに対する前記記録ヘッドの角度が調整されることを特徴とする記録装置。
【請求項６】
前記第１ガイドレールと前記第２ガイドレールは、前記第２方向において前記キャリッジの上流に配されていることを特徴とする請求項５に記載の記録装置。
【請求項７】
前記傾き調整部材は、底面と、前記底面に平行な複数の平面部からなる上面とを有し、前記複数の平面部の各々に対応して前記傾き調整部材の厚さが異なることを特徴とする請求項１乃至６のいずれか１項に記載の記録装置。
【請求項８】
前記キャリッジは、前記傾き調整部材の前記上面に突き当たる突き当て面を有することを特徴とする請求項７に記載の記録装置。
【請求項９】
前記傾き調整部材に係合して前記第１方向への前記傾き調整部材の移動を規制する位置規制部をさらに有することを特徴とする請求項８に記載の記録装置。
【請求項１０】
前記傾き調整部材は、前記位置規制部との係合状態を解除するために前記第１方向とは異なる方向に移動可能であり、
前記傾き調整部材を前記係合状態の位置に付勢する付勢手段をさらに有することを特徴とする請求項９に記載の記録装置。
【手続補正２】
【補正対象書類名】明細書
【補正対象項目名】０００７
【補正方法】変更
【補正の内容】
【０００７】
本発明の記録装置は、記録ヘッドを搭載し第１方向に移動するキャリッジと、第１方向に延びる第１ガイドレール及び第２ガイドレールと、第１方向と交差する第２方向に記録媒体を搬送する搬送手段と、第２方向において第１ガイドレールと第２ガイドレールの間に配され、記録ヘッドにより記録される記録媒体を支持するプラテンと、第１ガイドレールと接触してキャリッジと一体となって移動し、キャリッジを第１方向にガイドする第１ガイド部材と、第２ガイドレールと接触してキャリッジと一体となって移動し、キャリッジを第１方向にガイドする第２ガイド部材と、第２ガイド部材とキャリッジとの間に配され、第２ガイド部材とキャリッジとの間の距離を変化させる傾き調整部材と、を備え、傾き調整部材によって距離が変化することで、プラテンに対する記録ヘッドの角度が調整されることを特徴とする。
本発明の別の記録装置は、記録ヘッドを搭載し第１方向に移動するキャリッジと、第１方向に延びる第１ガイドレール及び第２ガイドレールと、第１方向と交差する第２方向に記録媒体を搬送する搬送手段と、記録ヘッドにより記録される記録媒体を支持するプラテンと、第１ガイドレールと接触してキャリッジと一体となって移動し、キャリッジを第１方向にガイドする第１ガイド部材と、第２ガイドレールと接触してキャリッジと一体となって移動し、キャリッジを第１方向にガイドする第２ガイド部材と、キャリッジとプラテンの間隔を切り替える間隔切替部材と、キャリッジと間隔切替部材との間に配され、キャリッジと間隔切替部材の間の距離を変化させる傾き調整部材と、を備え、傾き調整部材によって距離が変化することで、プラテンに対する記録ヘッドの角度が調整されることを特徴とする。
【手続補正３】
【補正対象書類名】明細書
【補正対象項目名】００１５
【補正方法】変更
【補正の内容】
【００１５】
次に、本実施形態におけるガイド部材５８，５９による記録ヘッド７と記録媒体Ｐとのギャップを切り替えるための具体的構成について、図３及び図４を用いて説明する。図３（ａ）はキャリッジ部４９の第１のガイド部材５８との摺動部の近傍を斜め下から見上げた図であり、図３（ｂ）は図３（ａ）中のｂ−ｂ線における端面図である。図４（ａ）はキャリッジ部４９の第２のガイド部材５９との摺動部の近傍を斜め上から見下ろした図であり、図４（ｂ）は図４（ａ）中のｂ−ｂ線における端面図である。